(57)【要約】【課題】  ＶＯＸ回路やコンプレッサ回路などの音声で自動的に送信回路をオンオフする制御機能を備えたマイクロホンにおいて、アタックタイムの時間遅れに起因する頭切れや不快な雑音を発生させることなく、その制御機能を確実に動作させる。【解決手段】  マイクロホンユニットと、上記マイクロホンユニットから出力される音声信号を受信装置に送信する送信回路１３と、上記音声信号を検知して送信回路１３をオン状態にするＶＯＸ回路やコンプレッサ回路などの制御回路１４とを含むマイクロホンにおいて、上記マイクロホンユニットを主マイクロホンユニット１１として、主マイクロホンユニット１１よりも音源側の所定位置に収音軸Ｘを一致させて配置される副マイクロホンユニット１２を備え、制御回路１４は、副マイクロホンユニット１２から出力される音声信号に基づいて送信回路１３をオン状態にする。【選択図】  図１
2006332718.tif 000002
【特許請求の範囲】
【請求項１】
マイクロホンユニットと、上記マイクロホンユニットから出力される音声信号を受信装置に送信する送信回路と、上記音声信号を検知して上記送信回路をオン状態にする制御回路とを含むマイクロホンにおいて、
上記マイクロホンユニットを主マイクロホンユニットとして、上記主マイクロホンユニットよりも音源側の所定位置に収音軸を一致させて配置される副マイクロホンユニットを備え、上記制御回路は、上記副マイクロホンユニットから出力される音声信号に基づいて上記送信回路をオン状態にすることを特徴とするマイクロホン。
【請求項２】
上記副マイクロホンユニットには、上記主マイクロホンユニットと同一のマイクロホンユニットが用いられる請求項１に記載のマイクロホン。
【請求項３】
上記制御回路には、ＶＯＸ回路もしくはコンプレッサ回路が用いられ、上記主マイクロホンユニットと上記副マイクロホンユニットのユニット間距離は、上記ＶＯＸ回路もしくはコンプレッサ回路が有するアタックタイムの時間遅れに相当する距離に設定される請求項１または２に記載のマイクロホン。
【発明の詳細な説明】
【技術分野】
【０００１】
本発明はマイクロホンに関し、さらに詳しく言えば、音声を検知したときのみ送信状態とされる制御機能を備えたマイクロホンに関するものである。
【背景技術】
【０００２】
マイクロホンがオンにされたまま音声無入力状態に置かれると、風雑音などにより雑音が発生することがある。これを防止するには、こまめにマイクロホンの電源スイッチをオン，オフすればよいのであるが、その操作が煩わしいばかりでなく、別の雑音として電源スイッチのオン，オフによる雑音が発生することがある。
【０００３】
そこで、マイクロホンに音声が入力されたときにのみマイクロホンの送信回路をオンとし、音声無入力状態のときには送信回路をオフとすることが行われている。これには、通常、ＶＯＸ回路やコンプレッサ回路などが用いられる。
【０００４】
ＶＯＸとは、Ｖｏｉｃｅ  ＯｐｅｒａｔｉｎｇＸ（Ｘは何かの装置もしくは回路を示している）の略語であり、ＶＯＸ回路では、音声がマイクロホンに入力されると、その音声信号の一部を整流して送信回路をオン状態（送信出力状態）とする。
【０００５】
コンプレッサ回路では、入力された音声信号の一部を整流し、その音声信号の振幅を圧縮してダイナミックレンジの狭い伝送路（例えば無線部分）を通して受信機側に送信し、受信機側で音声信号の振幅を拡張（エキスパンド）する。
【発明の開示】
【発明が解決しようとする課題】
【０００６】
ＶＯＸ回路およびコンプレッサ回路のいずれにしても、入力された音声信号の一部を整流して平滑するようにしているため、音声信号が入力された直後には制御が追いつかない場合があり、このアタックタイムの時間遅れにより、ＶＯＸ回路では音声の「頭切れ」が発生する。また、コンプレッサ回路では高域の大きな信号が入力されると、制御信号の遅れから不快な雑音が発生することがある。
【０００７】
したがって、本発明の課題は、ＶＯＸ回路やコンプレッサ回路などの音声で自動的に送信回路をオンオフする制御機能を備えたマイクロホンにおいて、アタックタイムの時間遅れに起因する頭切れや不快な雑音を発生させることなく、上記制御機能を適確に動作させることにある。
【課題を解決するための手段】
【０００８】
上記課題を解決するため、本発明は、マイクロホンユニットと、上記マイクロホンユニットから出力される音声信号を受信装置に送信する送信回路と、上記音声信号を検知して上記送信回路をオン状態にする制御回路とを含むマイクロホンにおいて、上記マイクロホンユニットを主マイクロホンユニットとして、上記主マイクロホンユニットよりも音源側の所定位置に収音軸を一致させて配置される副マイクロホンユニットを備え、上記制御回路は、上記副マイクロホンユニットから出力される音声信号に基づいて上記送信回路をオン状態にすることを特徴としている。
【０００９】
本発明において、上記副マイクロホンユニットには、上記主マイクロホンユニットと同一のマイクロホンユニットが用いられることが好ましい。
【００１０】
また、本発明において、上記制御回路には、ＶＯＸ回路もしくはコンプレッサ回路が用いられるが、上記主マイクロホンユニットと上記副マイクロホンユニットのユニット間距離は、上記ＶＯＸ回路もしくはコンプレッサ回路が有するアタックタイムの時間遅れに相当する距離に設定される。
【発明の効果】
【００１１】
本発明によれば、主マイクロホンユニットと副マイクロホンユニットの２つのマイクロホンユニットを備え、そのうちの副マイクロホンユニットが主マイクロホンユニットよりも音源側の所定位置に収音軸を同一として配置されるため、主マイクロホンユニットと副マイクロホンユニットとの間のユニット間距離をｒ，音速（３４０ｍ／秒）をＣとすると、副マイクロホンユニットにはｒ／Ｃ秒早く音波が入る。
【００１２】
このことは、制御回路には送信回路よりもｒ／Ｃ秒早く音声信号が入力されることを意味するから、主マイクロホンユニットから送信回路に音声信号が入力されるタイミングと、制御回路から送信回路に制御信号が入力されるタイミングとがほぼ一致し、頭切れや不快な雑音を発生させることなく送信回路を適確にオン状態とすることができる。
【発明を実施するための最良の形態】
【００１３】
次に、図１により本発明の実施形態について説明するが、本発明はこれに限定されるものではない。図１は本発明によるマイクロホンの構成を概略的に示す模式図である。
【００１４】
図１に示すように、このマイクロホン１０は、主マイクロホンユニット１１と副マイクロホンユニット１２の２つのマイクロホンユニットを備える。副マイクロホンユニット１２は、制御用の音声信号を収音するユニットで、主マイクロホンユニット１１よりも図示しない音源側（図１において左側）の所定位置で、その収音軸を主マイクロホンユニット１１の収音軸Ｘと一致させて（同軸として）配置される。収音軸Ｘとは、マイクロホンユニットの主軸，すなわち図示しない振動板の中心を通る軸である。
【００１５】
主マイクロホンユニット１１と副マイクロホンユニット１２は、コンデンサ型，ダイナミック型のいずれでもよいが、小型化の観点からすれば、コンデンサ型が好ましい。また、一方がコンデンサ型で、他方がダイナミック型の組み合わせも考えられるが、後述の制御回路により送信回路を適確に制御するうえで、双方とも同一のマイクロホンユニットであることが好ましい。
【００１６】
主マイクロホンユニット１１から出力される音声信号は送信回路１３に入力される。この例でのマイクロホン１０はワイヤレスマイクロホンで、送信回路１３は電波もしくは赤外線にて図示しない受信装置に音声信号を送信するようにしているが、上記受信装置と有線で接続されてもよい。
【００１７】
副マイクロホンユニット１２から出力される音声信号は制御回路１４に入力される。制御回路１４は、その音声信号を検知して制御信号を送信回路１３に出力し、送信回路１３をオン状態とする。送信回路１３は、制御回路１４からの制御信号がない場合、オフ状態を維持する。
【００１８】
制御回路１４には、従来と同じくＶＯＸ回路もしくはコンプレッサ回路が用いられてよい。ＶＯＸ回路を構成する回路素子としては、例えば新日本無線社製の音声レベル検知用ＩＣ；ＮＪＭ２０７２（品番）を例示することができる。
【００１９】
また、ワイヤレスマイクロホンなどでは、コンプレッサ回路として、例えば日本フィリップス社製のプログラマブルアナログコンパンダＮＥ５７２Ｄ（品番）が用いられるが、いずれの回路においても、音声信号を整流し平滑化するため、その分、アタックタイムと称する時間遅れを生ずる。
【００２０】
この時間遅れ分を考慮して、主マイクロホンユニット１１と副マイクロホンユニット１２のユニット間距離ｒが設定される。すなわち、音速（３４０ｍ／秒）をＣとすると、副マイクロホンユニット１２には、主マイクロホンユニット１１よりもｒ／Ｃ秒早く音波が入る。したがって、上記アタックタイムの時間遅れ（遅れ時間）をｔ秒とすると、
ｒ＝ｔ×Ｃ
により、ユニット間距離ｒが求められる。
【００２１】
このようにして、ユニット間距離ｒを設定することにより、主マイクロホンユニット１１から送信回路１３に音声信号が入力されるタイミングと、制御回路１４から送信回路１３に制御信号が入力されるタイミングとがほぼ一致するため、従来問題となっていたアタックタイムの時間遅れに起因する頭切れや不快な雑音発生をなくすことができる。
【図面の簡単な説明】
【００２２】
【図１】本発明によるマイクロホンの構成を概略的に示す模式図。
【符号の説明】
【００２３】
１０  マイクロホン
１１  主マイクロホンユニット
１２  副マイクロホンユニット
１３  送信回路
１４  制御回路
【図１】
2006332718.tif 000003